(57)【要約】【目的】アナログ放送とディジタル放送をユーザが意識せずに選局が行なえる放送受信装置を提供する。【構成】システムコントローラ１３は、事業者のディジタル放送チャンネル群をワンタッチキーに対応付けると共に前記事業者と同一事業者のアナログ放送チャンネルを同ワンタッチキーに対応付ける。メモリ１４には前記ディジタル放送チャンネル群及びアナログ放送チャンネルの選局関連情報を格納される。システムコントローラ１３は、前記ワンタッチキーが操作されたときに前記事業者のディジタル放送チャンネル群のなかの一つのチャンネルの選局処理を行うと共に前記ワンタッチキーの連続操作で前記アナログ放送チャンネルの選局処理を行なうように構成されている。【選択図】                図１
2004158956.tif 000002
【特許請求の範囲】
【請求項１】
グループ化されたディジタル放送チャンネル群を割当キーに対応付けると共に前記グループに対応するアナログ放送チャンネルを同割当キーに対応付ける手段と、前記ディジタル放送チャンネル群及びアナログ放送チャンネルの選局関連情報を格納する手段と、前記割当キーが操作されたときに対応するディジタル放送チャンネル群のなかの一つのチャンネルの選局処理を行うと共に前記割当キーの連続操作で前記アナログ放送チャンネルの選局処理を行なう手段と、を備えたことを特徴とする放送受信装置。
【請求項２】
請求項１に記載の放送受信装置において、グループ化されたチャンネル群を割当キーに対応させる処理は、ディジタル放送波に含まれているリモコンキーＩＤに基づいて当該ＩＤが示す番号を有する割当キーに対して行うように構成されていることを特徴とする放送受信装置。
【請求項３】
請求項１又は請求項２に記載の放送受信装置において、アナログ放送の受信を望まない設定がユーザによってなされた場合は、前記割当キーが連続操作されてもアナログ放送チャンネルの選局処理は行なわないように構成されたことを特徴とする放送受信装置。
【請求項４】
請求項３に記載の放送受信装置において、アナログ放送の受信を望まないとする設定を各割当キーごとに設定できるように構成されたことを特徴とする放送受信装置。
【請求項５】
請求項３又は請求項４に記載の放送受信装置において、前記設定のためのメニュー画面が用意され、ユーザは画面を見ながら設定操作を行なうことができ、その設定の状態が画面表示されるように構成されたことを特徴とする放送受信装置。
【発明の詳細な説明】
【０００１】
【産業上の利用分野】
この発明は、ディジタル放送及びアナログ放送を受信する放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
ところで、このようなディジタル放送では、放送事業者ごとにキー（ワンタッチキー，プリセットキー等）を割り当て、当該割当キーを操作することでダイレクトに所望の放送事業者のチャンネルを選択できるようにすることが考えられている。これに関する従来技術としては、所定の釦に対応して割り当てられている一つの放送事業者の複数のチャンネルのなかから一つのチャンネルを選局するものがある（特許文献１参照）。
【０００４】
【特許文献１】
特開平１０−１４９４５１号公報
【０００５】
【発明が解決しようとする課題】
地上ディジタル放送では、同一の放送事業者（同一の放送局）、ネットワーク等が一つのグループとして様々な形態で複数チャンネル放送を行うことが可能であり、例えば標準画質放送、ハイビジョン放送、ラジオ放送、データ放送等を行うことができる。その一方、地上ディジタル放送の開始当初は、同一事業者が地上ディジタル放送とアナログ放送の両方を用いて同一内容の番組を提供するサイマル放送を実施することが予想され、ユーザから見れば同じ番組であるにもかかわらずチャンネル数が増えることになり、特にディジタル放送を視聴したことがないユーザ（特に家電操作が苦手である高齢者や女性の方）が混乱することが予想される。
【０００６】
これまでのディジタル放送及びアナログ放送の選局方法に鑑みると、入力切替えを意識した選局動作が採られると考えられ、例えば、地上ディジタル放送視聴中にアナログ放送を視聴したいと思ったならば、アナログ放送に切り替えるための入力切替キーを操作した後、所望のアナログ放送事業者のポジションキーを押すということになる。
【０００７】
また、ユーザがリモコン送信機の事業者ポジションキーをカスタマイズするときにも、入力種別（アナログ放送／ディジタル放送）毎に事業者ポジションキー登録が必要になり、ここでもユーザは入力種別を意識しなければならず、ユーザに手間と操作の難しさを意識させるものになる。
【０００８】
この発明は、上記の事情に鑑み、アナログ放送とディジタル放送をユーザが意識せずに選局が行なえる放送受信装置を提供することを目的とする。
【０００９】
【課題を解決するための手段】
この発明の放送受信装置は、上記の課題を解決するために、グループ化されたディジタル放送チャンネル群を割当キーに対応付けると共に前記グループに対応するアナログ放送チャンネルを同割当キーに対応付ける手段と、前記ディジタル放送チャンネル群及びアナログ放送チャンネルの選局関連情報を格納する手段と、前記割当キーが操作されたときに対応するディジタル放送チャンネル群のなかの一つのチャンネルの選局処理を行うと共に前記割当キーの連続操作で前記アナログ放送チャンネルの選局処理を行なう手段と、を備えたことを特徴とする。
【００１０】
上記の構成であれば、地上ディジタル放送波とアナログ放送波の区別をユーザに意識させず（入力切替操作を要求せず）、例えば、「この事業者の番組を見たいので、リモコン送信機の事業者ポジションキーを操作する」という「選局する＝事業者を選ぶ」といったメンタルモデルを持つ多くのユーザ（例えば、家電操作が苦手だと思い込んでいる高齢者や女性）でも、簡単に所望のチャンネルを選局することができる。また、ユーザがリモコン送信機の事業者ポジションキーをカスタマイズするときにも、入力種別毎に事業者ポジションキーの登録を行なう必要がなくなることになる。
【００１１】
グループ化されたチャンネル群を割当キーに対応させる処理は、ディジタル放送波に含まれているリモコンキーＩＤに基づいて当該ＩＤが示す番号を有する割当キーに対して行うように構成されていてもよい。
【００１２】
アナログ放送の受信を望まない設定がユーザによってなされた場合は、前記割当キーが連続操作されてもアナログ放送チャンネルの選局処理は行なわないように構成されていてもよい。また、かかる構成において、アナログ放送の受信を望まないとする設定を各割当キーごとに設定できるように構成されていてもよい。前記設定のためのメニュー画面が用意され、ユーザは画面を見ながら設定操作を行なうことができ、その設定の状態が画面表示されるように構成されているのがよい。
【００１３】
【発明の実施の形態】
以下、この発明の実施形態を図１乃至図９に基づいて説明する。
【００１４】
図１において、地上波アンテナ１Ａ・１Ｂは屋外において所定の方向に向けて配置されており、地上波放送信号を受信する。この地上波アンテナ１Ａ・１Ｂは受信した信号をチューナ２Ａ・２Ｂに与える。
【００１５】
アナログチューナ２Ａは、アンテナ１からのＲＦ（高周波信号）を選局し中間周波（ＩＦ）に変換する。このチューナ２Ａは、受信ＲＦ信号を増幅する初段増幅器、外部からの制御電圧によってゲインを可変とするＡＧＣアンプ、電圧制御発振器で発生するローカル周波数と受信ＲＦ信号との差周波数であるＩＦ信号を生成するミキサ、システムコントローラ１３から与えられる選局データにより電圧制御発振器を所定の一定周波数出力状態に制御するＰＬＬ回路、及び中間周波増幅器等を備えてなる。中間周波数（ＩＦ）回路３は、各種のトラップ回路を備えてチューナ２Ａから出力される中間周波数の信号のなかから必要な帯域の周波数を高利得で増幅する。検波回路４は、増幅された中間周波数の映像信号を検波してカラーテレビ信号（輝度信号、色信号、同期信号）を取り出すと共に中間周波数の音声信号を検波する。
【００１６】
ディジタルチューナ２Ｂは、上述したアナログチューナ２Ａと同様の周波数選択機能を備えると共に、復調回路、逆インタリーブ回路、誤り訂正回路などを備え、選択したディジタル変調信号を復調してトランスポート・ストリームを出力する。
【００１７】
デマルチプレクサ（ＤＥＭＵＸ）５は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ５は、ビデオストリームとオーディオストリームをディジタル放送信号処理部６に供給し、ＰＳＩ／ＳＩに含まれる番組情報等をシステムコントローラ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１８】
ディジタル放送信号処理部６は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データ／音声データはＤ／Ａ変換されて映像信号／音声信号に変換される。
【００１９】
マルチプレクサ（ＭＵＸ）７は、アナログ放送による映像／音声信号とディジタル放送による映像／音声信号とを入力する。そして、マルチプレクサ７はシステムコントローラ１３からの指示によって、いずれかの映像／音声信号を選択して出力する。
【００２０】
出力処理部８は、マルチプレクサ７にて選択出力された映像信号のなかの輝度信号を受像部（ＣＲＴ）１０を駆動するのに必要な大きさに増幅したり、色副搬送波を発生し、これを用いて搬送色信号から色差信号を復調するなどの処理を行い、この処理信号を受像部１０に供給する。また、マルチプレクサ７にて選択出力された音声信号を増幅してスピーカ９に供給する。更に、出力処理部８は、後述するＯＳＤ（オンスクリーンディスプレイ）回路１５から出力されるＯＳＤ信号を受信映像信号に組み込む処理を行う。
【００２１】
ＯＳＤ回路１５は、システムコントローラ１３から出力指示された文字情報や色情報に基づく映像データを処理し、ＯＳＤ信号として出力処理部８に出力するようになっている。このＯＳＤ回路１５により、メニュー画面や各種設定画面などの表示が行えることになる。
【００２２】
リモコン送信機１７は、図２に示しているように、各種のキーを備えて当該放送受信装置３０に各種指令を送出すものであり、前記キーを操作すると、そのキーに対応した指令を意味する信号光（リモコン信号）が発光部から送出される。リモコン受光器１６は、前記信号光を受光し、これを電気信号に変換してシステムコントローラ１３に与える。なお、この実施形態においては、リモコン送信機１０に設けた「１」乃至「１２」の数字が表記されたキーを割当キー（以下、ワンタッチキーという）とする。そして、ここでは一つの放送事業者が一つのトランスポートストリームで放送を行っている場合を想定し、一つのワンタッチキーには一つの放送事業者を対応させるものとする。
【００２３】
メモリ（例えば、ＲＡＭ、ＥＥＰＲＯＭ、フラッシュメモリ等）１４には、アナログチャンネル情報（周波数情報、ポジションに対応させたチャンネルリストや事業者名などの情報）、ディジタルチャンネル情報（周波数情報、リモコンキーＩＤに対応させたチャンネルリストや事業者名などの情報）、各種設定情報などが格納される。
【００２４】
モデム１９は、例えば有料放送の課金情報、双方向データサービスにおけるデータの送信を行なう際のダイヤルアップ接続においてシステムコントローラ１３の制御の下で動作する。
【００２５】
ＩＣカード１８は、有料放送を視聴可能にするための鍵情報や番組毎に課金対象となるＰＰＶ番組の購入履歴情報などをその内蔵メモリに格納する。
【００２６】
システムコントローラ１３は、このディジタル放送受信装置３０における全体制御を行うものであるが、特にこの発明にかかる処理として、各種設定処理、チャンネルサーチ処理、リモコンキーＩＤの取得処理、ワンタッチキーの割当処理、ワンタッチキー操作に対する選局処理等を行う。
【００２７】
（各種設定処理）
図３、図４、図５に示すように、メニュー画面のなかの「サイマル放送設定」を呼び出し、次のような操作を行う。ユーザは、リモコン送信機１７の上下矢印キーでカーソルを設定したい項目のところまで移動させ、決定キーを押す。項目としては、「シームレスサイクリック選局設定」、「ディジタル放送優先表示設定」、「ディジタル／アナログ放送表示設定」が用意されている。「ディジタル／アナログ放送表示設定」においては、「事業者のワンタッチキーごとに設定する」と「事業者のワンタッチキーごとに設定しない（全表示）」のいずれかを選択することになる。「ディジタル／アナログ放送表示設定」の詳細は後述する。また、「シームレスサイクリック選局設定」について「する」を選択し且つ「ディジタル放送優先表示設定」について「する」を選択することはできず、一方が選択されたときには、他方は非選択となるように処理している。
【００２８】
（チャンネルサーチ処理）
例えば、初回電源投入時、ＣＰＵ１３は自動的にディジタルチューナ２Ｂに地上波ディジタル放送が送信されるＵＨＦ帯域の最も低い周波数を選局させて有局判定を行う。有局と判断した場合には、チャンネル情報（周波数情報、局情報、チャンネルリストデータ等）を抽出し、メモリ１４に記憶する。この処理を、順次周波数を上げて最も高い周波数まで続ける（例えば、１２ｃｈ乃至６２ｃｈまで）。また、アナログ放送に対しては、地域コードとその地で受信可能とされるチャンネルリストとを対応付けたテーブルをメモリに格納しておき、ユーザによる地域コードの入力によって前記リストを選択する。この地域コードの入力により選択されたリストを図８に例示している。
【００２９】
（リモコンキーＩＤの取得処理）
上述したディジタル放送のチャンネルサーチに際し、有局の周波数において、トランスポートストリームからＰＳＩを分離し、そのなかのＮＩＴ（Ｎｅｔｗｏｒｋ  Ｉｎｆｏｒｍａｔｉｏｎ  Ｔａｂｌｅ）のリモコンキーＩＤを取得し、上述したチャンネル情報等と対応付けてメモリ１４に記憶する。この対応付けられたチャンネルテーブルを図７に例示している。
【００３０】
（ワンタッチキーの割当処理）
取得したリモコンキーＩＤが示す番号のワンタッチキーに当該放送局を受信するためのチャンネル情報を対応させる。すなわち、Ａ放送局がリモコンキーＩＤとして「１」を付加して送信することにより、受信装置の側ではこの情報を受信してリモコンキーＩＤを取得し、リモコン送信機１７のワンタッチキー「１」にＡ放送局を設定する。以降、ユーザによってリモコン送信機１７のキー「１」が押下されると、Ａ放送局のチャンネルが選局されるようになる。
【００３１】
ここで、図７及び図８に例示したテーブルでは、ワンタッチキー「１」については、同じ事業者なのでワンタッチキー「１」はＡ事業者の地上ディジタル放送とアナログ放送の両方が割り付けられる。ワンタッチキー「２」については、異なる事業者なので地上ディジタル事業者Ｂかアナログ事業者Ｄのどちらの事業者を割り付けるのかをユーザに選択してもらう。ワンタッチキー「３」「４」については、そのままでも登録できる。ただし、ワンタッチキー「３」「４」は同一事業者であることをユーザに認識してもらうために、メッセージをユーザに提示した上で事業者ワンタッチキー登録を行ってもらうようにしている。
【００３２】
（ワンタッチキーの操作による選局処理）
上記のごとく、ユーザによってリモコン送信機１０のワンタッチキー「１」が押下されると、Ａ事業者のチャンネルを選局する処理を行うが、ディジタル放送では各放送局で複数のチャンネルを用意することが可能であることから、前記チャンネルリストのなかの一つのチャンネルを選択する処理を行う。ここで、各放送局は、提供しているチャンネル群のなかで代表的なチャンネルの番号を小さく（若く）する傾向にあると考えられるので、最初に選局するチャンネルをそのチャンネル群のなかの最も小さい番号のチャンネルとするようにしている。この状態でＡ事業者の他のディジタルチャンネルを選局したいのであれば、リモコン送信機１７のチャンネルアップ／ダウンキーを操作すればよい。
【００３３】
サイマル放送設定において「シームレスサイクリック選局設定」が選択されている場合には、ユーザによってワンタッチキー「１」が引き続いて押下されたときに、Ａ事業者のアナログ放送を受信する。すなわち、システムコントローラ１３は、押されたワンタッチキーの番号に対応するチャンネル選局情報をメモリ１４から読み出し、アナログチューナ２Ａに制御信号を与え、また、マルチプレクサ７に対してはアナログ放送を選択するよう指令を出す。更に、ユーザによってワンタッチキー「１」が引き続いて押下されたときには、再びＡ事業者のディジタル放送を受信することになる。
【００３４】
サイマル放送設定において「ディジタル放送優先表示設定」が選択されている場合には、ユーザによって事業者のワンタッチキーが繰り返し押下されても、当該事業者のディジタル放送のチャンネルが常に選局される。
【００３５】
なお、例えば、或るワンタッチキーにアナログ放送のみが割り当てられた場合や、当初はアナログ放送とディジタル放送とが割り当てられていたが、ディジタル放送の閉局でアナログ放送のみとなった（再チャンネルサーチ等でそのように判断した）場合には、たとえ、「ディジタル放送優先表示設定」が選択されていても、当該ワンタッチキーにおいては、アナログ放送の受信処理が行なわれるようにしている。
【００３６】
「ディジタル／アナログ放送表示設定」において「事業者のワンタッチキーごとに設定する」が選択された場合は、図６に示しているように、ワンタッチキーごとのディジタル事業者及びアナログ事業者のリストが表示される。このリスト画面上で以下のような操作を行う。このリスト画面が最初に表示された時点では、カーソルは事業者ポジションキー「１」の部分に表示されている。ユーザは、リモコン送信機１７の左右矢印キーでカーソルを設定したいキー番号のところまで動かして、決定キーを押す。決定キーが押下されると、その事業者ワンタッチキーのＤ／Ａ放送表示設定メニューが表示され、カーソルが表示される。リモコン送信機１７の上下矢印キーでカーソルを設定したい項目まで移動させ、決定キーを押す。ここで、「ディジタル放送を表示」を選択すれば、当該事業者ワンタッチキー（当該事業者チャンネル）については、「ディジタル放送優先表示設定」をしたのと同様に処理されることになり、ユーザが選局時に当該事業者ワンタッチキーを繰り返し押しても、ユーザが所望する事業者の地上ディジタル放送のチャンネルが常に選局されることになる。
【００３７】
なお、上記の例では、チャンネルサーチを１２ｃｈ乃至６２ｃｈまで全て行うこととしたが、ディジタル放送についても、地域コードとその地で受信可能とされるチャンネルリストとを対応付けたテーブルをメモリに格納しておき、ユーザによる地域コードの入力によって前記リスト中のチャンネルについてだけ受信して情報を取り込むようにしてもよい。また、取得したリモコンキーＩＤに基づいてワンタッチキーを対応付けることとしたが、リモコンキーＩＤによらずに、各放送事業者のチャンネル群（グループ）をユーザが好みの番号のワンタッチキーに対応させることとしてもよい。
【００３８】
また、ワンタッチキーの操作において最初に選局するチャンネルをそのチャンネル群のなかの最も小さい番号のチャンネルとする場合を例示したが、これに限るものではない。例えば、前述したチャンネル変更において選択されているチャンネルを記憶していくこととし、次回ワンタッチキーが操作されたときには、前回の最後に選択されていたチャンネル（ラストチャンネル）を最初に選局するチャンネルとするようにしてもよい。
【００３９】
また、上記の例では、一つの放送事業者が一つのトランスポートストリームで放送を行っている場合を想定し、一つのワンタッチキーには一つの放送事業者を対応させることとしたが、一つの放送事業者（放送局）が複数のトランスポートストリームを使って放送を行っている場合、或いは、逆に一つのトランスポートストリーム中に複数の放送事業者（放送局）が存在する場合を考慮すると、必ずしもワンタッチキーで放送事業者を選ぶということに限定されず、一つ或いは二以上のトランスポートストリーム内のチャンネル群を一つのグループとするようにしてもよい。すなわち、ワンタッチキーをどのようなグループ単位で設定するかは、放送がどのような形態で行われているかに対応して任意に決めることとすればよい。
【００４０】
【発明の効果】
以上説明したように、この発明によれば、地上ディジタル放送波とアナログ放送波の区別をユーザに意識させず（入力切替操作を要求せず）、例えば、「この事業者の番組を見たいので、リモコン送信機の事業者ポジションキーを操作する」という「選局する＝事業者を選ぶ」といったメンタルモデルを持つユーザであっても、簡単に所望のチャンネルを選局することができる。また、ユーザがリモコン送信機の事業者ポジションキーをカスタマイズするときにも、入力種別毎に事業者ポジションキーの登録を行なう必要がなくなる等の諸効果を奏する。
【図面の簡単な説明】
【図１】この発明の実施形態の放送受信装置を示したブロック図である。
【図２】リモコン送信機を示した平面図である。
【図３】設定画面を示した説明図である。
【図４】設定画面を示した説明図である。
【図５】設定画面を示した説明図である。
【図６】設定画面を示した説明図である。
【図７】メモリ内のディジタル放送チャンネルリストを示した説明図である。
【図８】メモリ内のアナログ放送チャンネルリストを示した説明図である。
【図９】リモコンのキーと事業者との対応関係を説明する説明図である。
【符号の説明】
１Ａ・１Ｂ    アンテナ
２Ａ  アナログチューナ
２Ｂ  ディジタルチューナ
５    デマルチプレクサ（ＤＥＭＵＸ）
１３  システムコントローラ
１４  メモリ
１５  ＯＳＤ回路
１７  リモコン送信機
【図１】
2004158956.tif 000003
【図２】
2004158956.tif 000004
【図３】
2004158956.tif 000005
【図４】
2004158956.tif 000006
【図５】
2004158956.tif 000007
【図６】
2004158956.tif 000008
【図７】
2004158956.tif 000009
【図８】
2004158956.tif 000010
【図９】
2004158956.tif 000011